(57)【特許請求の範囲】
【請求項１】
基板水平実装型のＩＣカード用２段コネクタであって、単体としても使用可能な２つの同一コネクタを、実装基板に対して水平に上下２段に配置し、これらコネクタ間を、高さ調整用スペーサーを備えたジョイントブロックにより係合し、係合に際して該ジョイントブロックはコネクタ嵌合側に対して後ろ側から左右挿入される構造を具備することを特徴とするＩＣカード用２段コネクタ。
【請求項２】
基板実装側の概ね直角に曲げられた基板実装端子側に、電磁遮蔽効果を得るための金属遮蔽板を、さらに具備する請求項１に記載のＩＣカード用２段コネクタ。
【請求項３】
基板水平実装型のＩＣカード用２段コネクタに係合し、単体使用可能なカードスロットであって、高さ方向に対して前記ＩＣカード用２段コネクタと等間隔に配置されるように、上下カードスロット間に左右共用のカードスロット用スペーサーを具備することを特徴とする請求項１又は２に記載のＩＣカード用２段コネクタに係合する２段カードスロット。
【請求項４】
前記ＩＣカードスロットに挿入されるＩＣカードの両側面を上下方向に挟み込むことにより、前記ＩＣカードに帯電した静電気を前記ＩＣカード用２段コネクタへの嵌合前に除去する第２のグランドコンタクトを左右各々配置し、前記第２グランドコンタクトは一体成形にて２段構成され、
さらに、前記ＩＣカードの両側面を挟み込み、前記ＩＣカードに帯電した静電気を前記ＩＣカード用２段コネクタへの嵌合前に除去する第１グランドコンタクトを、前記２段カードスロットの各カード挿入口の近傍に左右各々配置し、前記第２グランドコンタクトに接触するようになっている請求項３に記載の２段カードスロット。
【請求項５】
前記カードスロット用スペーサーはパネル取付け用のプレートを左右に配置することができ、かつ前記第２グランドコンタクトに機械的にネジ固定される構造を有する請求項３又は４に記載の２段カードスロット。
【発明の詳細な説明】
【０００１】
【産業上の利用分野】
本発明はＩＣカード用２段コネクタに関する。本発明は特に基板水平実装型のＩＣカード用２段コネクタ及びこのコネクタに係合して使用される２段カードスロット、及び単体カードスロット構造に関する。
電子機器の小型化、高密度化に伴い、電子機器内に基板実装されるコネクタにおいても高密度化の要求が強く、ＩＣカードコネクタにおいても例外ではない。さらに低価格化の要求も厳しく、例えば取付け位置によらず同一部品で間に合うように、できるだけ部品の共通化を図らねばならない。
【０００２】
一方、ＩＣカードにはタイプＩ、ＩＩ、ＩＩＩ  が市場に提供されている。何れも、例えば、ＰＣＭＣＩＡ規格に準ずるものであるが、タイプＩはカード厚み３．３ｍｍ、タイプＩＩはカード厚み最大５．０ｍｍ、であるのに対して、タイプＩＩＩ  はカード厚み最大１０．５ｍｍでこれらよりさらに厚みが厚くなっている。これは、ＩＣカード仕様の高機能化の要求からきたものである。
【０００３】
【従来の技術】
図１は従来のＩＣカード用２段コネクタ２１，３１  及びこれに係合する２段カードスロット２２，３２  の一例斜視図である。ＩＣカードコネクタの使用環境において、高密度実装を達成するための一例として図示の如き基板水平実装型のＩＣカード２段コネクタ２１，３１  及びこれに係合する２段カードスロット２２，３２  が市場に提供されている。ここで、ＩＣカードは、カードスロット２２ａ，３２ａから挿入される構造になっている。
【０００４】
ところで、図示のＩＣカード用２段コネクタは、単に、単体で使用可能なＩＣカード用コネクタ２１及び３１を実装基板に水平に上下２段配置し、固定用金具等で上下のコネクタ２１，３１  を固定し、上下コネクタ間にスペースが無い構造になっている。
【０００５】
【発明が解決しようとする課題】
一方、図示の従来の基板実装型２段コネクタに係合する従来の２段カードスロットにおいても、構造上、上下カードスロット間２２ｂ，３２ｂ  間にスペースを持たせることが困難であった。
従って、このような構造上の制約から、ＩＣカードをカードスロット２２ａ  又は３２ａ  に挿入する場合に、カードスロット２２ａ  対してタイプＩ又はタイプＩＩを使用し、カードスロット３２ａ  にはタイプＩを使用するようになっている。
【０００６】
図示のような従来の構造では、タイプＩＩＩ  を使用するために、上下コネクタ間に所定の間隔を持たせることが構造上困難であった。即ち、カードスロット２２ａ  に対して最も厚みのあるＩＣカードであるタイプＩＩＩ  を使用できてもカードスロット３２ａ  にタイプＩＩＩ  を同時に使用することができない構造であった。
さらに、図示の従来の基板水平実装型のＩＣカード２段コネクタ２１，３１  では、概ね直角に曲げられた基板実装側の長い端子４１には何の遮蔽物もなく、従って、電磁遮蔽効果は期待できず、その結果電子機器の誤動作、暴走の危険性があった。
【０００７】
さらに、図示の従来の基板水平実装型のＩＣカード２段コネクタに係合する２段カードスロット２２，３２  では、２枚のＩＣカードに帯電した静電気を一括してコネクタ２１，３１  への嵌合前に除去するグランドコンタクトを装備していない。
さらに、前記２段カードスロットにおいて、パネル取付けプレートを装着可能とした構造はまだない。
【０００８】
さらに、単体としてのカードスロット及び２段カードスロットにおいて、同一のカードスロット本体で、パネル上の取付け配置に応じてイジェクトボタンを左右に配置可能とした構造はない。
従来のＩＣカード用コネクタ及びこれに係合するカードスロットについての上述の問題に鑑み、
本発明の第一の目的は、２段コネクタの上下コネクタ間にタイプＩからタイプＩＩＩ  のカードを組合せて同時に２枚使用可能とならしめるため所定の間隔を持たせた構造の基板水平実装型のＩＣカード用２段コネクタ及び２段カードスロットを提供することにある。なお、もちろんＩＣカードは２枚同時に使用することも、１枚単独で使用することも可能である。
【０００９】
本発明の第二の目的は、電子機器の誤動作、暴走を防止する電磁遮蔽効果を得る金属遮蔽板を、概ね直角に曲げられた基板実装側の長い端子側に装着することが可能な基板水平実装型のＩＣカード用２段コネクタを提供することにある。
本発明の第三の目的は、上述のようなグランドコンタクト並びにパネル取付け用プレートが装着可能な２段カードスロットを提供することにある。
【００１０】
本発明の第四の目的は、パネル上の取付け配置によらず、同一カードスロット本体で、イジェクトボタンを左右に配置可能とした単体使用可能なカードスロットを提供することにある。
【００１１】
【課題を解決するための手段及び作用】
本発明の一つの形態は、基板水平実装型のＩＣカード用２段コネクタであって、単体としても使用可能な２つの同一コネクタ１を、実装基板に対して水平に上下２段に配置し、これらコネクタ間を高さ調整用スペーサーを備えたジョイントブロック２により係合し、係合に際して該ジョイントブロックはコネクタ嵌合側に対して後ろ側から左右挿入される構造を具備することを特徴とする。
【００１２】
ここで、前記２段コネクタは、基板実装側の概ね直角に曲げられた基板実装端子側に、電磁遮蔽効果を得るための金属遮蔽板を、さらに具備する。
また、本発明の他の形態は、基板水平実装型のＩＣカード用２段コネクタに係合し、単体使用可能なカードスロットであって、高さ方向に対してＩＣカード用２段コネクタと等間隔に配置されるように、上下カードスロット間に左右共用のカードスロット用スペーサーを具備することを特徴とする。
【００１３】
さらに、前記２段カードスロットは、各々のメモリカードスロットに挿入されるＩＣカードの両側面を上下方向に挟み込むことにより、前記ＩＣカードに帯電した静電気を前記ＩＣカード用２段コネクタへの嵌合前に除去する第２のグランドコンタクトを左右各々配置し、前記第２グランドコンタクトは一体成形にて２段構成され、さらに、前記ＩＣカードの両側面を挟み込み、前記ＩＣカードに帯電した静電気を前記ＩＣカード用２段コネクタへの嵌合前に除去する第１グランドコンタクトを、前記２段カードスロットの各カード挿入口の近傍に左右各々配置し、前記第２グランドコンタクトに接触するようになっている。
【００１４】
さらに、前記カードスロット用スペーサーはパネル取付け用のプレートを左右に配置することができ、かつ前記第２グランドコンタクトにネジ等により機械的に固定される構造を有する。
【００１６】
【実施例】
以下、図面にそって本発明の実施例を説明する。本発明では、単体でも使用可能な基板水平実装型のＩＣカード用コネクタにおいて、後述するジョイントブロックを装着するだけで比較的簡単に所望の上下間隔を得るＩＣカード用２段コネクタを提供する。また、単体でも使用可能なイジェクト機構を有するＩＣカード用カードスロットにおいて、後述するスペーサーを装着するだけで比較的簡単に所望の上下間隔を得、基板水平実装型のＩＣカード用２段コネクタの雄側にセット可能なＩＣカード用２段カードスロットを提供する。
【００１７】
さらに、パネル上の取付け配置に応じて、イジェクトボタンが左右何れでも配置可能とするように、カードスロット本体の構造を、同一のカードスロット本体で構成可能とした、単体使用可能なカードスロットを提供することにある。
従って、本発明によれば、ＩＣカード厚みが従来より厚い仕様のもの、例えば、ＰＣＭＣＩＡ規格のタイプＩＩＩ  を１段目、２段目の各々のコネクタ及びカードスロットに同時に使用することができる。
【００１８】
図２は本発明による基板水平実装型のＩＣカード用２段コネクタの分解斜視図である。本構造は単体（即ち、１段）でも使用可能な主としてＩＣカード用２段コネクタの雄側を示している。２段コネクタは、大別して上下の雄コネクタ１、左右のジョイントブロック２、２段用アライメントプレート３により構成される。
【００１９】
雄コネクタ１には、係合ガイド溝１ａが左右上下面に各々形成されており、この溝１ａに沿って、ジョイントブロック２に形成された係合ガイド突起２ａが案内され、さらに雄コネクタ１に形成されたＵ字形状をした取付け穴１ｂに、ジョイントブロック２に形成された突起２ｂが案内され、よって、水平方向の位置決めが行われる。
【００２０】
また、雄コネクタ１には、係合突起１ｃが左右側面に形成されており、ジョイントブロック２に形成された係合穴２ｃが各々係合される。よって、垂直方向の位置決めが行われる。
また、雄コネクタ１の２段目のアライメントプレート３の左右に形成された突起１ｄは、ジョイントブロック２に形成された溝２ｄに沿ってセットされる。
【００２１】
また、２段用アライメントプレート３の左右に形成されたラッチ３ａはジョイントブロック２に形成されたラッチ２ｅと係合される。
また、このＩＣカード用２段コネクタは、基板実装側の概ね直角に曲げられた基板実装端子側に、電磁遮蔽効果を得るための金属遮蔽板４を設けている。そして、その金属遮蔽板４のフック４ａと２段目の雄コネクタ１に形成された溝１ｅに係合し、さらに、金属遮蔽板４のフック４ｂがジョイントブロック２に形成された溝２ｆに係合する構造となっている。
【００２２】
図３は本発明による２段カードスロットの分解斜視図である。本カードスロットは、図２のＩＣカード用コネクタの雄側にセットして使用される。図示のように、カードスロット本体５、第１フレームグランドコンタクト６、第２フレームグランドコンタクト７、イジェクトプレート８、スライドプレート９、イジェクトボタン１０、カードスロット用スペーサー１１、パネルマウントプレート１２により構成される。
【００２３】
そして、１段目、２段目の各カードスロットは、カードスロット本体５、第１フレームグランドコンタクト６、イジェクトプレート８、スライドプレート９、イジェクトボタン１０により構成される。
このような、構成からなる２段カードスロットにおいて、１段目、２段目の各カードスロットを、高さ方向にＩＣカード用２段コネクタと等間隔に配置するように、第２フレームグランドコンタクト７に形成された各ラッチ係合用穴７ａを１段目、２段目の各カードスロットに形成された左右各ラッチ５ａに係合させ、また、左右共用のカードスロット用スペーサー１１の凸部１１ａ  ，ラッチ１１ｂ  を１段目、２段目の各カードスロット左右凹部５ｂ，ラッチ用溝及び穴５ｃに係合させる構造となっている。
【００２４】
また、左右の各第１フレームグランドコンタクト６に、形成された接触子６ａが、１段目、２段目の各カードスロットに挿入されるＩＣカード１４の各両側面１４ａ，１４ｂ（図６参照）に接触し、また、左右の各第２フレームグランドコンタクト７に形成された接触子７ｂは、１段目、２段目の各カードスロットに挿入されるＩＣカード１４の各両側上下面を挟み込み、また、左右の各第２フレームグランドコンタクト７に形成された接触子７ｃは、１段目、２段目の各カードスロットの左右に装着された第１フレームグランドコンタクト６の先端６ｂに接触する。
【００２５】
さらに、左右の各第２フレームグランドコンタクト７に形成されたグランド用取付け穴７ｄは、カードスロット用スペーサー１１の凹凸部１１ｃ  に適合するような凹凸部１２ａ  を有し、カードスロット用スペーサー１１の溝部１１ｄ  にスライドさせて水平方向の位置決めがなされ、ＩＣカード挿入方向に対して垂直な筺体パネルに固定可能なようなネジ部１２ｂ  を有するパネルマウントプレート１２に形成されたネジ部１２ｂ  に固定可能である。
【００２６】
従って、１段目、２段目の各カードスロットに挿入されるＩＣカード各々に帯電した静電気は、第１フレームグランドコンタクト６、第２フレームグランドコンタクト７、パネルマウントプレート１２を通して筺体パネルにグランドされ、１段目、２段目のＩＣカード各々に装着された雌コネクタ１４ｃ  とＩＣカード用２段コネクタの嵌合前に前記静電気を除去することが可能となる。なお、パネルマウントプレート１２を使用しない場合は、第２フレームグランドコンタクト７に形成されたグランド用取付け穴７ｄよりグランドされる。
【００２７】
次の本発明によるカードスロットの単体構造について、以下に詳細に説明する。本発明のカードスロットの構造説明の前に、従来構造と、その問題点を以下に簡単に説明する。
従来のＩＣカード用カードスロットは、例えば、実開平３−１００３７７号、実開平４−５２２６５に開示されている。このタイプのカードスロットはパネル上の取付け配置に応じて、左イジェクトボタン仕様と右イジェクトボタン仕様とがあり、対応する製品を製造するためには、その構成部品であるカードスロット本体に左右何れか一方のみの仕様のイジェクトボタン装着部が設けられており、各々その反対側にイジェクトボタンを装着させるには別部品のカードスロット本体を使用しなければならない。このように、部品の共通化が図られておらず、従って、製品の低価格化の障害になっていた。
【００２８】
本発明は、ＩＣカード用の雄コネクタにセットして使用されるイジェクト機構を有するカードスロットにおいて、その同一のイジェクトボタンをＩＣカード挿入口に対して、左右どちらでも配置可能なＩＣカードイジェクト機構を有するカードスロットを提供することにある。
図４は本発明によるカードスロット組立て体の斜視図であり、図５は本発明による１段のＩＣカードスロットの分解斜視図並びにそのカードスロットにセットして使用される１段のＩＣカード用雄コネクタの斜視図である。
【００２９】
図４のカードスロット組立て体には図５の雄コネクタ１がセットされて使用される。図４はイジェクトボタン１０が図示のように右側に設けられている場合である。図４のカードスロット１５は、図５に示すように、カードスロット本体５、第１フレームグランドコンタクト６、第２フレームグランドコンタクト７、イジェクトプレート８、スライドプレート１３、イジェクトボタン１０で構成される。
【００３０】
カードスロット本体５には、ＩＣカード挿入口５ｄ、ＩＣカード挿入ガイド溝５ｆ、第１フレームグランドコンタクト用装着部５ｅ、第２フレームグランドコンタクト用装着部５ｇ、イジェクトプレートスライドガイド溝５ｍ、イジェクトプレートスライド逃げ穴５ｈ、スライドプレート支点セット用ポスト５ｉ、イジェクトボタン挿入ガイド溝５ｊ、ＩＣカード雄コネクタセット用突起５ｋ、がカードスロット本体５のセンターライン５ｌ、に対して各々左右対称に形成されている。
【００３１】
また、イジェクトプレート８には、段部８ａがあり、その両先端に雌コネクタイジェクト部８ｂが形成されている。さらに、イジェクトプレート８の両側にはカードスロット本体５のイジェクトプレートスライドガイド溝５ｍに適合するように凹凸部８ｃが、さらに、スライドプレート１３の作用部１３ａ  に適合するように下方に向かってポスト８ｄがカードスロット本体５の幅方向に対してセンターライン８ｅ上に形成されている。
【００３２】
また、第２フレームグランドコンタクト７には、カードスロット本体装着用穴７ａ、ＩＣカードの両側の上下面を挟み込む接触子７ｅ、第１フレームグランドコンタクト６の端部６ａに接触する接触子７ｆ、グランド用基板取付け穴７ｇ、が形成されている。
図６は本発明によるカードスロット組立て体の斜視図並びに雌コネクタ付きＩＣカードの斜視図である。図５に示す構成部品からなるＩＣカード用カードスロット１５を図６に示すように、ＩＣカード雄コネクタ１にセットし、ＩＣカード１４をカードスロット本体５に形成された挿入口５ｄより挿入すると、先ず、カードスロット本体５のＩＣカード挿入ガイド溝５ｅ上の左右両側に圧入により装着された第１フレームグランドコンタクト６にＩＣカード１４の左右両側端面１４ａ  が各々接触し、さらにＩＣカード１４をＩＣカード挿入ガイド溝５ｆに沿って挿入していくと、カードスロット本体５のＩＣカード挿入ガイド溝５ｆ上の左右両側に係合装着された第２フレームグランドコンタクト７に、ＩＣカード１４の左右両側上下面１４ｂ  が各々接触する。これによりＩＣカード１４に帯電した静電気は第１フレームグランドコンタクト６、第２フレームグランドコンタクト７を通して第２フレームグランドコンタクト７に形成されたグランド用基板取付け穴７ｇによりグランドされるので、ＩＣカード１４に装着された雌コネクタ１４ｃ  と雄コネクタ１の嵌合前に除去することが可能となる。
【００３３】
さらに、ＩＣカード１４をＩＣカード挿入ガイド溝５ｆ、並びにＩＣカード雄コネクタ１に形成された挿入ガイド１ｆに沿って挿入していくと、ＩＣカード１４に装着された雌コネクタ１４ｃ  と雄コネクタ１が嵌合する。
そして、この嵌合された雌コネクタ付きＩＣカード１４を抜去、即ち、イジェクトするには、カードスロット本体５にセットされたイジェクトボタン１０を矢印１５ａ  の方向へ押すことにより、この力はスライドプレート１３の段曲げ部１３ｂに伝わり、カードスロット本体５に形成されたスライドプレート支点セット用ポスト５ｉを支点としてスライドプレート１３の作用部１３ａ  を介してイジェクトプレート８のポスト８ｄを反挿入方向１５ｂ  に伝える。
【００３４】
この動作により、イジェクトプレート８が反挿入方向１５ｂ  に引き上げられるので、このイジェクトプレート８に形成されているコネクタイジェクト部８ｂが雌コネクタ付きＩＣカード１４の嵌合側両先端１４ｄ  を引上げ、よって、雌雄コネクタの嵌合がはずれ、その後は、簡単に手によってＩＣカード１４を引き出すことが可能となる。なお、この機構はラプソンスライダー機構を用いている。
【００３５】
図７は本発明によるカードスロットにおいて、図４に対して反対側イジェクトボタン機構１０を装着した組立て体の斜視図である。上述のような特徴を有するカードスロット１５において、上述のスライドプレート１３並びにイジェクトボタン１０を図７に示すように反対側に装着するだけで、上述のイジェクト機構がそのまま反対側へも実施することが可能となる。
【００３６】
図８は図７に示すカードスロット組立て体の斜視図並びに雌コネクタ付きＩＣカードの斜視図である。前述のように図６に対してイジェクトボタン１０とスライドプレート１３が反対側になるだけなので、動作説明を省略する。
【００３７】
【発明の効果】
以上説明したように、本発明によるＩＣカード用２段コネクタ及びこれに係合して使用される２段カードスロット、さらに単体のカードスロットによれば、
２段コネクタの上下コネクタ間に所定の間隔を持たせる構造をとることが可能とし、タイプＩ，ＩＩのＩＣカードのみならず最も厚みのあるタイプＩＩＩ  のＩＣカードを容易に上段及び下段に使用することができる。従って、同一のコネクターで各種のＩＣカードに適合することが可能である。
【００３８】
又、上記のコネクタの基板実装側に、金属遮蔽板を、概ね直角に曲げられた基板実装側の長い端子側に装着することにより、電子機器の誤動作、暴走を防止する電磁遮蔽効果を得ることができる。
さらに上下コネクタ及びカードスロット間にグランドコンタクト並びにパネル取付け用プレートが装着され、静電気を容易にグランド可能となっている。
【００３９】
さらに、イジェクトボタンを左右に配置可能としたカードスロット構造を有し、部品の共通化による価格低減を図っている。
【図面の簡単な説明】
【図１】従来のＩＣカード用２段コネクタ及びこれに係合する２段カードスロットの一例斜視図である。
【図２】本発明による基板水平実装型のＩＣカード用２段コネクタの分解斜視図である。
【図３】本発明による２段カードスロットの分解斜視図である。
【図４】本発明による１段のカードスロット組立て体の斜視図である。
【図５】本発明による１段のカードスロットの分解斜視図並びに係合するＩＣカード用雄コネクタの斜視図である。
【図６】本発明によるカードスロット組立て体の斜視図並びに挿入される雌コネクタ付きＩＣカードの斜視図である。
【図７】本発明による反対側イジェクトボタン機構を装着したカードスロット組立て体の斜視図である。
【図８】図７に示すカードスロット組立て体の斜視図並びに挿入される雌コネクタ付きＩＣカードの斜視図である。
【符号の説明】
１…ＩＣカード用雄コネクタ
２…ジョントブロック
３…２段用アライメントプレート
４…金属遮蔽板
５…カードスロット本体
６…第１フレームグランドコンタクト
７…第２フレームグランドコンタクト
８…イジェクトプレート
９，１３…スライドプレート
１０…イジェクトボタン
１１…カードスロット用スペーサー
１２…パネルマウントプレート
１４…雌コネクタ付きＩＣカード
１５…カードスロット
【図１】
0003625488.tif 000002
【図２】
0003625488.tif 000003
【図３】
0003625488.tif 000004
【図４】
0003625488.tif 000005
【図５】
0003625488.tif 000006
【図６】
0003625488.tif 000007
【図７】
0003625488.tif 000008
【図８】
0003625488.tif 000009